(57)【要約】【課題】前照灯後方の利用可能スペースが限られている場合にも装着を容易に行うことができる高輝度放電ランプの提供【解決手段】駆動機構４によって第二軸６を動作させることにより、リンク機構７および第一軸５を介して可動部３が前後方向にスライド動作し、前記可動部３に固設されている放電管２の前後方向への直線的なスライド動作が行われるよう構成されており、さらに、前記駆動機構４を前記放電管２の軸に対して略直角方向に配置すると共に、前記駆動機構４により前記第二軸６を上下方向に動作させるように構成されている。【選択図】  図１
2004281262.tif 000002
【特許請求の範囲】
【請求項１】
放電管の後部に固着し前後方向にスライド動作する可動部と、前記可動部を前後方向に直線的にスライド動作させるために当該可動部の後部に設けられた第一軸と、前記第一軸とリンク機構を介して接続された第二軸と、前記第二軸を動作させる駆動機構と、を有し、
前記駆動機構によって前記第二軸を動作させることにより、前記リンク機構および前記第一軸を介して前記可動部が前後方向にスライド動作し、前記可動部に固設されている放電管の前後方向への直線的なスライド動作が行われるよう構成されており、
さらに、前記駆動機構を前記放電管の軸に対して略直角方向に配置すると共に、前記駆動機構により前記第二軸を上下方向に動作させるように構成されていることを特徴とする高輝度放電ランプ。
【請求項２】
放電管の後部に固着し前後方向にスライド動作する可動部と、前記可動部を前後方向に直線的にスライド動作させるために当該可動部の後部に設けられた第一軸と、前記第一軸とリンク機構を介して接続された第二軸と、前記第二軸を動作させる駆動機構と、を有し、
前記駆動機構によって前記第二軸を動作させることにより、前記リンク機構および前記第一軸を介して前記可動部が前後方向にスライド動作し、前記可動部に固設されている放電管の前後方向への直線的なスライド動作が行われるよう構成されており、
さらに、前記駆動機構を前記可動部の下方に当該可動部と略平行に配置すると共に、前記第二軸を前後方向に動作させるように構成されていることを特徴とする高輝度放電ランプ。
【発明の詳細な説明】
【０００１】
【発明の属する技術分野】
本発明は、車両用の前照灯に使用される高輝度放電ランプに係り、特に前照灯の後方の利用可能スペースが限られている場合にも容易に装着可能な高輝度放電ランプに関するものである。
【０００２】
【従来の技術】
従来、車両用の前照灯としてはハロゲン電球が主に装着されてきたが、近年、高輝度放電ランプ（以下、ＨＩＤランプという）が採用される傾向が強くなってきている。これは、このＨＩＤランプがハロゲン電球に比して消費電力が低く、高効率かつ長寿命という特徴を有しており、省エネルギー光源として優れていることが理由となっている。
【０００３】
ここで、従来のハロゲン電球に替えてＤ２ＳあるいはＤ２Ｒという形式のＨＩＤランプを使用する場合、ハロゲン電球と口金の形式が異なることから、このＨＩＤランプの口金形状をハロゲン電球の口金形状と同一形状にすることによって、ハロゲン電球が装着されていた前照灯にこのＨＩＤランプを装着可能としていた。こうして、この形式のハロゲン電球をＨＩＤランプに容易に交換することが可能であった。このようなＤ２ＳあるいはＤ２Ｒという形式のＨＩＤランプの装着態様については、例えば次の先行技術文献に記載されている。
【０００４】
【特許文献１】
特開平１０−２７５１１号公報
【０００５】
【発明が解決しようとする課題】
これに対し、Ｈ４という形式のハロゲン電球に替えてＨＩＤランプを使用する場合、以下のような不都合が生じる。
【０００６】
従来のＨ４形式のハロゲン電球は、図３のように２本のフィラメントを有しており、これらのフィラメントの点灯の切り替えを行うことにより、走行ビームとすれ違いビームとを生成させているが、この形式のハロゲン電球と同様に、ＨＩＤランプにおいてフィラメントの切り替え機能を持たせるためには、当該ＨＩＤランプの放電管を口金に対して前後にスライドさせ、当該ＨＩＤランプのフィラメントの位置が従来のＨ４形式ハロゲン電球における２本のフィラメントの位置と同一になるよう制御する必要がある。
【０００７】
そこで、Ｈ４形式ハロゲン電球に替わる従来のＨ４形式ＨＩＤランプの構造は、図４のように、放電管の後部（車両内部側であり、図４で言えば右側に相当する）が固定部内に収容される可動部に固着されており、さらに、前記可動部を前後方向（図４の矢印方向）に直線的にスライド動作させるためのソレノイドやモーター等から成る駆動機構が、前記固定部内であり且つ前記放電管及び前記可動部の軸上後方に備えられたものとなっている。このような構造によって、当該Ｈ４形式ＨＩＤランプのフィラメントの位置は従来のＨ４形式ハロゲン電球における２本のフィラメントの位置と同一になるよう制御されることとなる。尚、このＨ４形式ＨＩＤランプの口金は、ハロゲン電球の口金形状と同一形状のものとしている。
【０００８】
しかしながら、上述のようなＨ４形式ＨＩＤランプの構造では、駆動機構を放電管の軸上後方に取り付けているため、前照灯に固定される口金の口金基準面からＨＩＤランプの後端までの長さＬ（以下、ランプ後方長さという）が、従来のＨ４形式ハロゲン電球におけるランプ後方長さに比して格段に長くなってしまう。具体的には、ハロゲン電球におけるランプ後方長さＬは約３５ｍｍ、従来のＨ４形式ＨＩＤランプでは約７０ｍｍであり、従来のＨ４形式ＨＩＤランプでは約２倍もの後方長さとなってしまう。尚、ハロゲン電球におけるランプ後方長さＬは、車両側のハーネスにソケットがある関係上、ハロゲン電球単体より若干大きい値となっている。
【０００９】
ここで、最近の車両のボンネット内には各種の装着部品が多く、前照灯の後方に配置されているバッテリーその他の部品の存在によって従来のＨ４形式ハロゲン電球が装着可能なギリギリのスペースしか前照灯の後方に確保されていない実情を、従来のＨ４形式ＨＩＤランプにおける後方長さの実情と合わせて鑑みると、上記構造のＨ４形式ＨＩＤランプを装着できない車両が現実的には極めて多い。よって、このような車種ではハロゲン電球から省エネルギー光源として優れたＨＩＤランプに容易に交換することができないという不都合が生じている。
【００１０】
そこで本発明の目的は、上記不都合を改善し、前照灯の後方の利用可能スペースが限られている場合にもＨ４形式の高輝度放電ランプの装着を容易に行うことができる高輝度放電ランプを提供することにある。
【００１１】
【課題を解決するための手段】
上記目的達成のため、本発明の高輝度放電ランプは、放電管の後部に固着し前後方向にスライド動作する可動部と、前記可動部を前後方向に直線的にスライド動作させるために当該可動部の後部に設けられた第一軸と、前記第一軸とリンク機構を介して接続された第二軸と、前記第二軸を動作させる駆動機構とを有し、前記駆動機構によって前記第二軸を動作させることにより、前記リンク機構および前記第一軸を介して前記可動部が前後方向にスライド動作し、前記可動部に固設されている放電管の前後方向への直線的なスライド動作が行われるよう構成されており、さらに、前記駆動機構を前記放電管の軸に対して略直角方向に配置すると共に、前記駆動機構により前記第二軸を上下方向に動作させるように構成されている。
【００１２】
また、本発明の高輝度放電ランプは、放電管の後部に固着し前後方向にスライド動作する可動部と、前記可動部を前後方向に直線的にスライド動作させるために当該可動部の後部に設けられた第一軸と、前記第一軸とリンク機構を介して接続された第二軸と、前記第二軸を動作させる駆動機構とを有し、前記駆動機構によって前記第二軸を動作させることにより、前記リンク機構および前記第一軸を介して前記可動部が前後方向にスライド動作し、前記可動部に固設されている放電管の前後方向への直線的なスライド動作が行われるよう構成されており、さらに、前記駆動機構を前記可動部の下方に当該可動部と略平行に配置すると共に、前記第二軸を前後方向に動作させるように構成されている。
【００１３】
【発明の実施の形態】
以下、本発明の一実施形態に係る車両用のＨＩＤランプについて、図面を参照して説明する。
【００１４】
［第一実施形態］
図１は、本発明の一実施形態に係る車両用のＨＩＤランプ１の構成を示している。この本実施形態に係るＨＩＤランプ１は、放電管２の後部（図１の右側に相当）が可動部３に固着され、さらに、前記可動部３を前後方向（図１の矢印方向）に直線的にスライド動作させるための第一軸５が前記可動部３の後部に設けられている。また、ソレノイドやモーター等から成る駆動機構４が、図１の如く前記放電管２の軸に対して略直角方向に配置され、その駆動機構４の上部には、当該駆動機構４によって上下方向に動作する第二軸６が設けられている。そして、前記第一軸５と前記第二軸６とは、リンク機構７を介して接続されている。
【００１５】
また、本実施形態に係るＨＩＤランプ１では、図１のように、可動部３の後方側の一部，第一軸５，第二軸６，リンク機構７および駆動機構４が固定ケース８内に収容された構成となっている。そして、この固定ケース８の上方には、前記可動部３の後方側の一部を嵌め込むための嵌設部９が突設されており、この嵌設部９の外周面には、従来取り付けられていたＨ４形式ハロゲン電球の口金の形状と同一形状の口金部１０が設けられている。
【００１６】
また、前記駆動機構４は、制御装置（図示せず）によって動作制御されるように構成されており、当該制御装置に設定済のデータに基づいて、例えば前記第二軸６の上下方向への動作距離や動作速度等が制御されることとなる。
【００１７】
そして、以上のような構成のＨＩＤランプ１では、前記駆動機構４によって第二軸６が上下方向に動作すると、リンク機構７を介して当該第二軸６に接続されている第一軸５が前後方向にスライド動作し、その結果、前記可動部３が前後方向に直線的にスライド動作することとなる。このようにして前記可動部３に固設されている放電管２を前後方向に直線的にスライドさせることができるため、当該Ｈ４形式のＨＩＤランプ１のフィラメントの位置を従来のＨ４形式ハロゲン電球における２本のフィラメントの位置と同一になるよう制御することが可能となる。
【００１８】
また、この図１に示す構成のＨＩＤランプ１におけるランプ後方長さＬは約４５ｍｍであり、従来のＨ４形式ＨＩＤランプにおける約７０ｍｍというランプ後方長さに比べると、ランプ後方長さの縮小化が実現されている。そこで、従来のＨ４形式ハロゲン電球が装着可能なギリギリのスペースしか前照灯の後方に確保されていない場合にも、従来取り付けられていたＨ４形式ハロゲン電球の口金の形状と同一形状の口金部１０を利用して、本実施形態に係るＨ４形式のＨＩＤランプ１の装着を容易に行うことが可能となる。
【００１９】
［第二実施形態］
また、本発明のＨＩＤランプの他の実施形態として、図２のような構成のものでも良い。この第二実施形態に係るＨＩＤランプ１ａは、放電管２の後部（図２の右側に相当）が可動部３に固着され、さらに、前記可動部３を前後方向（図２の矢印方向）に直線的にスライド動作させるための第一軸５が前記可動部３の後部に設けられている。また、ソレノイドやモーター等から成る駆動機構４が、図２の如く前記可動部３の下方に当該可動部３と略平行に配置され、その駆動機構４の後方には、当該駆動機構４によって前後方向に動作する第二軸６が設けられている。つまり、前記第一軸５と第二軸６とは略平行に配置されている。そして、前記第一軸５と前記第二軸６とは、リンク機構７ａを介して接続されている。
【００２０】
また、本実施形態に係るＨＩＤランプ１ａでは、上記第一実施形態と同様、図２のように、可動部３の後方側の一部，第一軸５，第二軸６，リンク機構７ａおよび駆動機構４が固定ケース８ａ内に収容された構成となっている。そして、この固定ケース８ａの上方には、前記可動部３の後方側の一部を嵌め込むための嵌設部９ａが突設されており、この嵌設部９ａの外周面には、従来取り付けられていたＨ４形式ハロゲン電球の口金の形状と同一形状の口金部１０が設けられている。また、前記駆動機構４は、第一実施形態と同様に制御装置（図示せず）によって、例えば前記第二軸６の前後方向への動作距離や動作速度等が制御されることとなる。
【００２１】
そして、以上のような構成のＨＩＤランプ１ａでは、前記駆動機構４によって第二軸６が前後方向に動作すると、リンク機構７ａを介して当該第二軸６に接続されている第一軸５が、当該第二軸６の動作とは反対向きに前後方向のスライド動作を行い、その結果、前記可動部３が前後方向に直線的にスライド動作することとなる。このようにして前記可動部３に固設されている放電管２を前後方向に直線的にスライドさせることができるため、第二実施形態に係るＨＩＤランプ１ａによっても、ＨＩＤランプ１ａのフィラメントの位置を従来のＨ４形式ハロゲン電球における２本のフィラメントの位置と同一になるよう制御することが可能となる。
【００２２】
また、第二実施形態に係るＨＩＤランプ１ａにおけるランプ後方長さＬも、第一実施形態とほぼ同様の約４５ｍｍであり、ランプ後方長さの縮小化が実現されているため、従来のＨ４形式ハロゲン電球が装着可能なギリギリの利用可能スペースしか前照灯の後方に確保されていない場合にも、第二実施形態に係るＨＩＤランプ１ａの装着を容易に行うことが可能となる。さらに、駆動機構４の形状やサイズによっては、固定ケース８ａの高さを第一実施形態のものよりも低く設定することができるため、第一実施形態に比してより省スペース化を図ることも可能となる。
【００２３】
【発明の効果】
以上述べたように、本発明によれば、ＨＩＤランプにおける口金基準面からランプ後端までのランプ後方長さがハロゲン電球の後方長さとほぼ同等となるため、従来ではハロゲン電球からＨＩＤランプに交換できなかった車種の車両にも、ＨＩＤランプの装着が可能となる。
【図面の簡単な説明】
【図１】本発明の第一実施形態に係る車両用の高輝度放電ランプの構成図である。
【図２】本発明の第二実施形態に係る車両用の高輝度放電ランプの構成図である。
【図３】従来のハロゲン電球の構成図である。
【図４】従来のＨ４形式の高輝度放電ランプの構成図である。
【符号の説明】
１，１ａ…高輝度放電ランプ（ＨＩＤランプ）
２…放電管
３…可動部
４…駆動機構
５…第一軸
６…第二軸
７，７ａ…リンク機構
８，８ａ…固定ケース
９，９ａ…嵌設部
１０…口金部
【図１】
2004281262.tif 000003
【図２】
2004281262.tif 000004
【図３】
2004281262.tif 000005
【図４】
2004281262.tif 000006